(57)【要約】【課題】移動通信端末の間欠受信を、カレントセルにおける受信状態が安定している時に、基地局及び網の処理負荷を増大させることなくスキップさせて消費電力を低減する。【解決手段】移動通信端末が待ち受け中でない場合に、スリープ（ステップＳ４）から起き上がってカレントセルのサーチを行い（ステップＳ５）、カレントセルの基地局から受信した信号の電力がしきい値以上である回数をカウンタＣＳで計数し（ステップＳ７）、一定回数（ＮＳ）に達した時にカレントセルにおける受信状態が十分に安定であると判断して、間欠受信をスキップし２周期後に起き上がるように設定する（ステップＳ１０）。【選択図】  図２
2005039471.tif 000002
【特許請求の範囲】
【請求項１】
移動通信システムにおける基地局が、着信待ち受け中の移動通信端末に対して着信があった場合に、所定の周期に基づく間欠受信方式における連続する２以上の整数個の周期にわたって着信情報を送信し、
前記移動通信端末は、着信待ち受け中に前記基地局から受信する信号の電力が安定であるか否かを判定し、
前記信号の電力が安定であると判定された時に、前記着信情報の検出を前記所定の周期の前記２以上の整数倍の周期で行う
ことを特徴とする移動通信端末の間欠受信制御方法。
【請求項２】
移動通信システムにおける基地局が、着信待ち受け中の移動通信端末に対して着信があった場合に、所定の周期に基づく間欠受信方式における連続する２以上の整数個の周期にわたって着信情報を送信し、
前記移動通信端末は、着信待ち受け中に前記基地局から受信する信号の電力が所定の回数以上連続してしきい値以上である時に安定であると判定し、
前記信号の電力が安定であると判定された時に、前記着信情報の検出を前記所定の周期の前記２以上の整数倍の周期で行う
ことを特徴とする移動通信端末の間欠受信制御方法。
【請求項３】
前記移動通信端末が、前記信号の電力は安定であると判定して前記着信情報の検出を前記所定の周期の前記２以上の整数倍の周期で行うようにした後、前記信号の電力が前記しきい値を下回った時に、前記着信情報の検出を前記所定の周期で行うことを特徴とする請求項２に記載の移動通信端末の間欠受信制御方法。
【請求項４】
移動通信システムにおいて着信待ち受け中に着信があった場合に、所定の周期に基づく間欠受信方式における連続する２以上の整数個の周期にわたって基地局から送信される着信情報を受信する手段と、
着信待ち受け中に前記基地局から受信する信号の電力が安定であるか否かを判定する手段と、
前記信号の電力が安定であると判定された時に、前記着信情報の検出の周期を前記所定の周期の前記２以上の整数倍にする制御手段とを
備えたことを特徴とする移動通信端末。
【請求項５】
前記判定する手段は、着信待ち受け中に前記基地局から間欠受信方式により受信する信号の電力が、所定の回数以上連続してしきい値以上である時に安定であると判定することを特徴とする請求項４に記載の移動通信端末。
【請求項６】
前記判定する手段は、着信待ち受け中に前記基地局から間欠受信方式により受信する信号の電力が、所定の回数以上連続してしきい値以上である時に安定であると判定し、
前記制御手段は、前記信号の電力が安定であると判定されて前記着信情報の検出の周期を前記所定の周期の前記２以上の整数倍にした後、前記信号の電力が前記しきい値を下回った時に、前記着信情報の検出の周期を前記所定の周期にすることを特徴とする請求項４に記載の移動通信端末。
【発明の詳細な説明】
【０００１】
【発明の属する技術分野】
本発明は移動通信端末の間欠受信制御方法及び移動通信端末に係り、特に間欠受信方式により着信待ち受け中のバッテリー持続時間を改善する移動通信端末の間欠受信制御方法及びその移動通信端末に関する。
【０００２】
【従来の技術】
第三世代携帯電話システムの１つである広帯域符号分割多元接続（Ｗ−ＣＤＭＡ）システムにおいては、着信待ち受け中の移動通信端末は消費電力低減のため、基地局から間欠的に送られて着信の有無を知らせる呼出し（ページング）信号の受信期間中だけ通信機能部分の電源をオンにするよう制御されている（これを間欠受信方式という。）。この間欠受信方式では、移動通信端末の待ち受け中は操作部や表示部用の電源のみをオンとしておき（スリープ状態という。）、呼出し信号の受信の直前にクロック系、無線部、ベースバンド部の電源を順次オンにし（起き上がり）、さらにプロセッサ部の電源をオンにすることによりスリープ状態からレディ状態に移行させ、呼出し信号を逆拡散復調して着信の有無を検出する（例えば非特許文献１参照。）。そして、「着信あり」が検出されたときは各部の電源オン状態を継続するが、「着信なし」が検出されたときはタイマをセットして、各部の電源をオフにする（スリープ状態へ回帰する。）。
【０００３】
移動通信端末は、起き上がりの都度、上記の着信の有無の検出のほか、係属しているセル（カレントセルという。）の基地局から受信した信号の電力を計測し、その値が十分でなければ周辺セルサーチ又はハンドオフ等の処理を行う。したがって、発着信やハンドオフの処理が必要でないならば、消費電力をさらに下げるために、間欠受信をスキップしてその周期を等価的に長くすることが有効であると考えられる。
【０００４】
移動通信端末の間欠受信をスキップさせるという発明は、これまでにもなされている（例えば、特許文献１参照。）。この特許文献１に開示された発明は、移動通信端末を群単位で管理する基地局が、ある群に対して着信がない時その群に属する移動通信端末に対して予告信号を送り、これを受信した移動通信端末は、当該予告信号で指示された（又は予め設定された）回数だけ間欠受信をスキップするというものである。
【０００５】
【非特許文献１】
「Ｗ−ＣＤＭＡ用移動機」、雑誌「ＦＵＪＩＴＳＵ」、ｖｏｌ．５１、ｎｏ．１（２０００年１月発行）（第５５ページ）
【０００６】
【特許文献１】
特開平９−３７３４４号公報（第２乃至第４ページ、図１）
【０００７】
【発明が解決しようとする課題】
間欠受信のスキップは、移動通信端末のバッテリー持続時間を改善するためのものであるから、基地局を含む網の処理負荷を増大させることなく、移動通信端末の自律的判断によってその可否を決定すべきである。上記の特許文献１に開示された発明は、基地局が移動通信端末の群に対する着信の有無を監視する機能を備えなければならず、基地局の処理負荷を増大させることになる。
【０００８】
ところで、着信情報は、間欠受信の１周期を区切って移動通信端末ごとに割り当てられた時間フレームにおいて、カレントセルの基地局から送信される。この際、ハンドオフ処理中である（当該情報がカレントセルの基地局とハンドオフ先のセルの基地局の両方から非同期で送信される）場合にも確実に移動通信端末に受信されるようにするためには、当該情報を連続する２又はそれ以上の整数個の周期にわたって送信する必要がある。この方式は、Ｗ−ＣＤＭＡシステムに採用されている。
【０００９】
しかし、例えば移動通信端末が静止していて、その間のカレントセルの着地局からの受信状態が十分安定しているような場合には、上記の２以上の整数個の周期にわたって連続して送信される着信情報のうち一つを受信すれば、着信の有無の検出の目的には十分である。
【００１０】
したがって、本発明は、受信状態の安定を担保した上で、移動通信端末が自律的に間欠受信をスキップする方法を実現することを目的とする。
【００１１】
【課題を解決するための手段】
上記の目的を達成するために、本発明の移動通信端末の間欠受信制御方法は、移動通信システムにおける基地局が、着信待ち受け中の移動通信端末に対して着信があった場合に、所定の周期に基づく間欠受信方式における連続する２以上の整数個の周期にわたって着信情報を送信し、前記移動通信端末は、着信待ち受け中に前記基地局から受信する信号の電力が安定であるか否かを判定し、前記信号の電力が安定であると判定された時に、前記着信情報の検出を前記所定の周期の前記２以上の整数倍の周期で行うことを特徴とする。
【００１２】
また、本発明の移動通信端末は、移動通信システムにおいて着信待ち受け中に着信があった場合に、所定の周期に基づく間欠受信方式における連続する２以上の整数個の周期にわたって基地局から送信される着信情報を受信する手段と、着信待ち受け中に前記基地局から受信する信号の電力が安定であるか否かを判定する手段と、前記信号の電力が安定であると判定された時に、前記着信情報の検出の周期を前記所定の周期の前記２以上の整数倍にする制御手段とを備えたことを特徴とする。
【００１３】
本発明によれば、移動通信端末の自律的判断によって、受信状態の安定を損なうことなく間欠受信をスキップすることができる。
【００１４】
【発明の実施の形態】
以下に、本発明による移動通信端末の実施の形態を、図１を参照して説明する。図１は、本発明の実施の形態に係る移動通信端末のブロック図である。図中、１はアンテナ、２は送受切換え部、３は受信部、４は送信部、５は変復調部、６はＤＡ変換部及びドライバ、７は音声−電気変換部及びＡＤ変換部、８は受話器、９は送話器、１０は制御部、１１は表示部、１２は操作部、１３は電源部、１４はバッテリー、１５はメモリである。これらはすべて、移動通信端末の一般的なハードウェア構成に含まれる。ここで、制御部１０はマイクロプロセッサ等で構成され、制御部１０に含まれる間欠受信制御部１０ａは、後で説明するカレントセル及び周辺セルのサーチ、受信の安定度の判定及び間欠受信のスキップの有無を制御する機能ブロックである。
【００１５】
次に、図２を参照して、本発明の実施の形態に係る移動通信端末の間欠受信制御方法について説明する。図２は、本発明の実施の形態に係るフローチャートである。なお、この実施の形態では、説明の便宜上、間欠受信方式において着信情報が連続して送信される２以上の整数個の周期は、連続する２周期であるとして説明する。
【００１６】
間欠受信制御の処理を開始する（“ＳＴＡＲＴ”）と、間欠受信制御部１０ａは、予め網から指示された間欠受信周期が、本発明の間欠受信制御を適用することのできる上限値を超えているかどうかを判定し、超えていれば（ステップＳ１の“ＹＥＳ”）適用できないものと判断して、当該処理を終了する（“ＥＮＤ”）。一方、超えていなければ（ステップＳ１の“ＮＯ”）適用できるものと判断して、次の処理へ進む。
【００１７】
ここで間欠受信制御部１０ａは、内部のカウンタＣＳの値を０にリセットする（ステップＳ２）。カウンタＣＳは、後で説明するように、カレントセルの基地局から受信した信号の電力がしきい値Ｓを超えた（当該信号の電力が十分であって周辺セルに対するサーチが不要と判定された）回数を表わす。
【００１８】
次に、間欠受信制御部１０ａは、移動通信端末が待ち受け中の状態にあるかどうかを確認し、待ち受け中でなければ（ステップＳ３の“ＮＯ”）発信、着信又はハンドオフの処理中であるから、間欠受信制御の処理を終了する（“ＥＮＤ”）。
【００１９】
一方、待ち受け中の場合には（ステップＳ３の“ＹＥＳ”）、間欠受信制御部１０ａはいったんスリープ（ステップＳ４）に入った後、次の起き上がりタイミングで起き上がり、カレントセルの基地局に再同期してサーチを行う（ステップＳ５）。その結果、カレントセルの基地局から送信された信号は、アンテナ１、送受切換え部２を経て受信部３において受信され、変復調部５で復調されてその電力が計測される。
【００２０】
間欠受信制御部１０ａは、変復調部５からその計測値を受け取ってしきい値Ｓと比較し、計測値の方がしきい値Ｓ以上であれば（ステップＳ６の“ＹＥＳ”）、カウンタＣＳの値を１つ増やす（ステップＳ７）。次に、カウンタＣＳの値を上限値ＮＳと比較して、まだ上限値に達していなければ（ステップＳ８の“ＹＥＳ”）、カレントセルの基地局から受信する信号の電力がまだ十分に安定しているとはいえないと判断して、次の起き上がりを１周期後に設定して（ステップＳ９）、ステップＳ３の処理に戻る。一方、カウンタＣＳの値が上限値ＮＳに達した時は（ステップＳ８の“ＮＯ”）、カレントセルの基地局から受信する信号の電力が十分に安定したと判断して、次の起き上がりを２周期後に設定して（ステップＳ１０）、ステップＳ３の処理に戻る。
【００２１】
なお、カレントセルの基地局から受信した信号の電力の計測値がしきい値Ｓを下回った時は、その時点でカレントセルにおける受信品質が十分ではないと判断されるから、次の起き上がりが１周期後又は２周期後のいずれに設定されている場合であっても周辺セルサーチを行い（ステップＳ１１）、カウンタＣＳの値を０にリセットする（ステップＳ１２）と共に、次の起き上がりを１周期後に設定して（ステップＳ９）、ステップＳ３の処理に戻る。
【００２２】
着信情報の連続送信周期の個数が３以上の整数Ｎである場合は、ステップＳ１０において次の起き上がりをＮ周期後に設定するようにすれば、その他の処理はまったく変更せずに適用することができる。尚、非同期通信システムにおける着信最少連続報知回数は、ステップ１０において、以下の（式１）に従って整数Ｎを求め、これに１を加えたＮ＋１とすることができる。
【００２３】
ＩＮＴ［（間欠受信周期×Ｎ）／リセレクション処理時間］＞１・・・（式１）
以上説明した本発明の実施の形態によれば、移動通信端末が自律的にカレントセルにおける受信状態の安定の有無を判定して、安定していると判断したときに限ってスキップにより間欠受信の周期を２以上の整数倍にするから、安定した受信状態を損なうことなく適切に消費電力を低減させることができる。なお、本発明はＷ−ＣＤＭＡシステムに限らず、間欠受信方式であって基地局から移動通信端末へ連続する２以上の整数個の周期にわたって着信情報を送信する移動通信システムであれば適用することができる。
【００２４】
【発明の効果】
本発明によれば、基地局及び網の処理負荷を増大させず、かつ、安定した受信状態を損なわずに移動通信端末の間欠受信をスキップさせ、着信待ち受け中のバッテリー持続時間をさらに改善することができる。
【図面の簡単な説明】
【図１】本発明の実施の形態に係る移動通信端末のブロック図。
【図２】本発明の実施の形態に係るフローチャート。
【符号の説明】
１  アンテナ
２  送受切換え部
３  受信部
４  送信部
５  変復調部
６  ＤＡ変換部及びドライバ
７  音声−電気変換部及びＡＤ変換部
８  受話器
９  送話器
１０  制御部
１０ａ  間欠受信制御部
１１  表示部
１２  操作部
１３  電源部
１４  バッテリー
１５  メモリ
【図１】
2005039471.tif 000003
【図２】
2005039471.tif 000004